(57)【要約】【課題】  給湯使用に対するユーザーの使用感を損ねることなく、追焚循環配管内の雑菌繁殖を抑制・防止し得る追焚システムを提供する。【解決手段】  ふろ自動制御の終了（Ｓ１でＹＥＳ）、洗浄スイッチのＯＮ（Ｓ２でＹＥＳ）、所定以上の急激な排水の検知（Ｓ３でＹＥＳ）のいずれかにより制御を開始し、給湯に係る配管内の湯水温度（配管温度）の如何により、追焚循環配管に対し洗浄水として湯を注湯して配管洗浄するか（Ｓ４でＹＥＳ，Ｓ５）、水を注水して配管洗浄するか（Ｓ４でＮＯ，Ｓ６）を切換える。配管温度が高ければ注湯することで給湯装置側の配管も湯で充満され、配管温度が低ければ注水することで給湯装置側の配管も水で充満される。【選択図】      図３
2014070771.tif 000002
【特許請求の範囲】
【請求項１】
給湯装置と、浴槽と、浴槽内の湯水を追い焚きするために前記浴槽と接続された戻り路及び往き路からなる追焚循環配管と、この追焚循環配管に対し前記給湯装置から洗浄水を流し込むことで追焚循環配管内を洗浄する配管洗浄制御手段とを備えた追焚システムにおいて、
前記給湯装置の給湯に係る部位の湯水温度を検出する配管温度センサを備え、
前記配管洗浄制御手段は、前記配管温度センサにより検出される検出温度に応じて、前記洗浄水の温度を変更するように構成されている、
ことを特徴とする追焚システム。
【請求項２】
給湯装置と、浴槽と、浴槽内の湯水を追い焚きするために前記浴槽と接続された戻り路及び往き路からなる追焚循環配管と、この追焚循環配管に対し前記給湯装置から洗浄水を流し込むことで追焚循環配管内を洗浄する配管洗浄制御手段とを備えた追焚システムにおいて、
外気温を検出する外気温センサを備え、
前記配管洗浄制御手段は、前記外気温センサにより検出される検出温度に応じて、前記洗浄水の温度を変更するように構成されている、
ことを特徴とする追焚システム。
【請求項３】
請求項１又は請求項２に記載の追焚システムであって、
前記配管洗浄制御手段は、前記検出温度に応じて、前記洗浄水として、前記給湯装置に給水される上水か、この上水を加熱した湯か、のいずれかに切換えるように構成されている、追焚システム。
【請求項４】
請求項１〜請求項３のいずれかに記載の追焚システムであって、
前記配管洗浄制御手段は、現在が夜間の時間帯に属するか否かを判定し、現在が夜間の時間帯に属していれば、前記検出温度に応じた洗浄水の温度変更を行うことなく、前記給湯装置に給水される上水を洗浄水として追焚循環配管に対し流し込むように構成されている、追焚システム。
【請求項５】
請求項１〜請求項４のいずれかに記載の追焚システムであって、
前記浴槽内に湯張りされた湯水の温度を一定に維持するために追焚循環配管を通して追い焚きするふろ自動運転制御手段を備え、
前記配管洗浄制御手段は、前記ふろ自動運転制御手段によるふろ自動制御の終了により配管洗浄制御を開始するように構成されている、追い焚きシステム。
【発明の詳細な説明】
【技術分野】
【０００１】
本発明は、追焚システムに関し、特に浴槽内の湯水を追い焚きするための追焚配管に対し、浴槽使用後に給湯装置から洗浄用に清浄な湯水を流して追焚配管内の残水を排出させることで、雑菌繁殖を抑制し得るようにするための技術に係る。
【背景技術】
【０００２】
従来技術として、特許文献１には、洗浄処理後のすすぎ処理を一連に制御するために、洗浄処理では、循環ポンプにより浴槽内の湯水を循環路に循環させ、すすぎ処理では、浴槽内の湯水を排出させた後に、浴槽内に常温の水を注水し、この水を循環路に循環させる点が記載されている。
【０００３】
又、特許文献２には、浴槽に注湯するための注湯管に銀イオン発生装置を設け、浴槽水が全て排出された後に、追焚循環路に湯又は水を循環させると同時に、この湯又は水に対し銀イオン発生装置から高濃度（５００ｐｐｂ以上）の銀イオンを混入・溶解させ、銀イオンによる除菌・抗菌効果を付与する点が記載されている。
【先行技術文献】
【特許文献】
【０００４】
【特許文献１】特開２００２−３２７９５７号公報
【特許文献２】特開２００９−１５６４７０号公報
【発明の概要】
【発明が解決しようとする課題】
【０００５】
しかしながら、従来の追焚システムにおいて、洗浄用の湯水に対し銀イオンを混入・溶解させると、その銀イオン発生装置の設置にかなり高いコストが必要となる一方、ユーザーによっては金属アレルギーを引き起こすおそれも考えられる。このため、できれば銀イオン等の除菌・抗菌のための物質を添加することなく、上水を用いた湯又は水を洗浄用に用いて雑菌増殖を抑制し得るようにする必要がある。
【０００６】
ところで、追焚配管内の温度が高温（例えば３５℃〜４０℃）の状態に維持されると、追焚配管内に雑菌が繁殖し易くなるため、浴槽の非使用時には追焚配管内の温度をより低温状態に維持することが望ましいと考えられる。このため、浴槽使用後に追焚配管内に洗浄のために流す対象は湯よりも水の方が好ましいと考えられる。例えば、入浴のために浴槽を使用した後に追焚配管内にそれぞれ２５℃の水と３５℃の湯との２種類を流して充満させた試験開始時の状態と、そのままに放置して２４時間経過した後との細菌の増殖速度について発明者が調べると、２５℃の水を流した場合には試験開始時に２７ＣＦＵ／ｍｌに対し２４時間経過後には５１ＣＦＵ／ｍｌと微増に止まるのに対し、３５℃の湯を流した場合には、試験開始時に２７ＣＦＵ／ｍｌに対し２４時間経過後には２７，７００ＣＦＵ／ｍｌと急増殖する結果となった。
【０００７】
しかるに、水を洗浄用に用い、浴槽使用後に給湯装置から追焚配管に対し水を注水すると、洗浄後においては、追焚配管のみならず給湯装置側の配管内にも水が滞留することになる。かかる状態で、ユーザーが給湯装置の給湯栓を開いて給湯使用しようとすると、給湯栓からその滞留していた水が先ず出て、続いて湯が出てくるという事態の発生が懸念される。つまり、ユーザーは設定温度の湯が給湯栓から出てくると予想しているにも拘わらず、少量ではあっても最初に水が出てくると、給湯使用に対する使用感が損なわれるおそれがある。つまり、追焚配管内の雑菌繁殖を抑制・防止するためには２５℃程度までの水を追焚配管に注水することが望ましいものの、そうすると給湯側での給湯使用においてユーザーの使用感を損ねる結果を招くおそれがある。
【０００８】
本発明は、このような事情に鑑みてなされたものであり、その目的とするところは、給湯使用に対するユーザーの使用感を損ねることなく、追焚配管内の雑菌繁殖を抑制・防止し得る追焚システムを提供することにある。
【課題を解決するための手段】
【０００９】
前記目的を達成するために、請求項１に係る発明では、給湯装置と、浴槽と、浴槽内の湯水を追い焚きするために前記浴槽と接続された戻り路及び往き路からなる追焚循環配管と、この追焚循環配管に対し前記給湯装置から洗浄水を流し込むことで追焚循環配管内を洗浄する配管洗浄制御手段とを備えた追焚システムを対象にして次ぎの特定事項を備えることとした。すなわち、前記給湯装置の給湯に係る部位の湯水温度を検出する配管温度センサを備えることとし、前記配管洗浄制御手段として、前記配管温度センサにより検出される検出温度に応じて、前記洗浄水の温度を変更する構成とした。
【００１０】
本発明の場合、配管温度センサにより検出される湯水温度に応じて洗浄水の温度を変更するようにしているため、湯水温度が高ければ洗浄水の温度もより高く、前記湯水温度が低ければ洗浄水の温度もより低く変更することで、配管洗浄が実行されても、給湯装置の給湯に係る部位には配管洗浄前と同様傾向の温度の湯水が充満されることになる。この結果、たとえ配管洗浄の直後に給湯使用されても、給湯使用に対するユーザーの違和感を生じさせることなく使用感を損ねることを回避し得る。従って、給湯装置の側における給湯使用に対するユーザーの使用感を損ねることなく、追焚循環配管内の雑菌繁殖を抑制・防止し得ることになる。
【００１１】
請求項２に係る発明では、給湯装置と、浴槽と、浴槽内の湯水を追い焚きするために前記浴槽と接続された戻り路及び往き路からなる追焚循環配管と、この追焚循環配管に対し前記給湯装置から洗浄水を流し込むことで追焚循環配管内を洗浄する配管洗浄制御手段とを備えた追焚システムを対象にして次ぎの特定事項を備えることとした。すなわち、外気温を検出する外気温センサを備えることとし、前記配管洗浄制御手段として、前記外気温センサにより検出される検出温度に応じて、前記洗浄水の温度を変更する構成とした。
【００１２】
本発明の場合、外気温センサにより検出される検出温度に応じて洗浄水の温度を変更するようにしているため、外気温が低ければ洗浄水の温度もより高く、外気温が高ければ洗浄水の温度もより低く変更することで、たとえ配管洗浄の直後に給湯使用されても、給湯使用に対するユーザーの違和感を生じさせることなく使用感を損ねることを回避し得ると同時に、追焚循環配管内の雑菌繁殖を抑制・防止し得ることになる。すなわち、外気温が低い低温期には、給湯装置の給湯に係る部位に対しより高い温度の湯を充満させることで、給湯使用におけるユーザーの使用感を高めつつも、追焚循環配管内ではより早期に放熱して冷たくなるため雑菌の増殖抑制を担保することが可能となる。一方、外気温が高い高温期には、追焚循環配管内に対しより低温の水を充満させて雑菌の増殖抑制を担保することが可能となる一方、給湯装置の給湯に係る部位に対してはより低い温度の水を充満させても、給湯使用におけるユーザーの使用感をあまり損ねることもないようにし得る。
【００１３】
以上の発明の追焚システムにおいて、配管洗浄制御手段として、前記の検出温度に応じて、洗浄水として、給湯装置に給水される上水か、この上水を加熱した湯か、のいずれかに切換えるように構成することができる（請求項３）。このようにすることにより、本発明をより具体化し、かつ、簡易な制御により本発明の作用を得ることが可能となる。
【００１４】
又、本発明の追焚システムにおいて、配管洗浄制御手段として、現在が夜間の時間帯に属するか否かを判定し、現在が夜間の時間帯に属していれば、前記の検出温度に応じた洗浄水の温度変更を行うことなく、給湯装置に給水される上水を洗浄水として追焚循環配管に流し込む構成とすることができる（請求項４）。このようにすることにより、深夜等の夜間の給湯使用が殆どなく、又、次の入浴までの間隔もかなり長くなる時間帯には、簡易な判定を加えるだけで、給湯使用上の使用感の確保よりも、雑菌の増殖抑制を重視した配管洗浄制御を確実に実行し得る。
【００１５】
さらに、本発明の追焚システムにおいて、浴槽内に湯張りされた湯水の温度を一定に維持するために追焚循環配管を通して追い焚きするふろ自動運転制御手段を備え、配管洗浄制御手段として、ふろ自動運転制御手段によるふろ自動制御の終了により配管洗浄制御を開始する構成とすることができる（請求項５）。このようにすることにより、配管洗浄の開始のタイミングをより確実に把握して配管洗浄を早期に実行し得ることになる。
【発明の効果】
【００１６】
以上、説明したように、請求項１に係る追焚システムによれば、配管温度センサにより検出される湯水温度に応じて、湯水温度が高ければ洗浄水の温度もより高く、前記湯水温度が低ければ洗浄水の温度もより低く変更することで、配管洗浄が実行されても、給湯装置の給湯に係る部位に配管洗浄前と同様傾向の温度の湯水を充満させることができる。この結果、たとえ配管洗浄の直後に給湯使用されても、給湯使用に対するユーザーの違和感を生じさせることなく使用感を損ねることを回避することができる。従って、給湯装置の側における給湯使用に対するユーザーの使用感を損ねることなく、追焚循環配管内の雑菌繁殖を抑制・防止することができるようになる。
【００１７】
請求項２に係る追焚システムによれば、外気温センサにより検出される検出温度に応じて、外気温が低ければ洗浄水の温度もより高く、外気温が高ければ洗浄水の温度もより低く変更することで、たとえ配管洗浄の直後に給湯使用されても、給湯使用に対するユーザーの違和感を生じさせることなく使用感を損ねることを回避することができると同時に、追焚循環配管内の雑菌繁殖を抑制・防止することができるようになる。すなわち、外気温が低い低温期には、給湯装置の給湯に係る部位に対しより高い温度の湯を充満させることで、給湯使用におけるユーザーの使用感を高めつつも、追焚循環配管内ではより早期に放熱して冷たくなるため雑菌の増殖抑制を担保することができるようになる。一方、外気温が高い高温期には、追焚循環配管内に対しより低温の水を充満させて雑菌の増殖抑制を担保することができる一方、給湯装置の給湯に係る部位に対してはより低い温度の水を充満させても、給湯使用におけるユーザーの使用感をあまり損ねることもないようにすることができる。
【００１８】
特に、請求項３の追焚システムによれば、配管洗浄制御手段として、検出温度に応じて、洗浄水として、給湯装置に給水される上水か、この上水を加熱した湯か、のいずれかに切換えるように構成することで、本発明をより具体化し、かつ、簡易な制御により本発明の効果を得ることができることになる。
【００１９】
又、請求項４の追焚システムによれば、配管洗浄制御手段として、現在が夜間の時間帯に属するか否かを判定し、現在が夜間の時間帯に属していれば、検出温度に応じた洗浄水の温度変更を行うことなく、給湯装置に給水される上水を洗浄水として追焚循環配管に対し流し込む構成とすることで、深夜等の夜間の給湯使用が殆どなく、又、次の入浴までの間隔もかなり長くなる時間帯には、簡易な判定を加えるだけで、給湯使用上の使用感の確保よりも、雑菌の増殖抑制を重視した配管洗浄制御を確実に実行することができる。
【００２０】
さらに、請求項５の追焚システムによれば、浴槽内に湯張りされた湯水の温度を一定に維持するために追焚循環配管を通して追い焚きするふろ自動運転制御手段を備え、配管洗浄制御手段として、ふろ自動運転制御手段によるふろ自動制御の終了により配管洗浄制御を開始する構成とすることで、配管洗浄の開始のタイミングをより確実に把握して配管洗浄を早期に実行することができるようになる。
【図面の簡単な説明】
【００２１】
【図１】本発明の実施形態に係る追焚システムの模式図である。
【図２】図１の追焚システムの作動制御に係る制御ブロック図である。
【図３】第１実施形態の配管洗浄制御に係るフローチャートである。
【図４】配管洗浄制御に係る洗浄湯水の流れる経路を太線で示す図１対応図である。
【図５】第２実施形態の配管洗浄制御に係るフローチャートである。
【図６】第３実施形態の配管洗浄制御に係るフローチャートである。
【発明を実施するための形態】
【００２２】
以下、本発明の実施形態を図面に基づいて説明する。
【００２３】
図１は、本発明の実施形態に係る追焚システムの模式図である。この追焚システムは、給湯機能を実現する給湯装置２、追い焚き機能を実現する追焚装置３、給湯装置２から追焚装置３へ湯張り等のために湯又は水を供給する注水・注湯装置４、及び、これらの作動制御を行うコントローラ５を備えたものである。なお、図例のものは１缶２水タイプのものを図示しているが、これに限らず、２缶２水タイプのものでも本発明を実施することができる。又、図例のものは、熱交換器として、燃焼ガスの顕熱を吸熱する一次熱交換器に加え燃焼排ガスからの潜熱を回収する二次熱交換器を組み合わせた潜熱回収型に構成されたものを図示しているが、これに限らず、二次熱交換器を有しないものでも本発明を実施することができ、潜熱回収型であることは必須ではない。以下の説明では、一次熱交換器及び二次熱交換器を組み合わせたものを、単に給湯用熱交換器２２又は追焚用熱交換器３２と表示する。
【００２４】
給湯装置２は、水道水等の給水を給水路２１に受けて給湯用熱交換器２２において燃焼バーナ２３の燃焼熱との熱交換加熱により所定温度まで加熱した湯を給湯路２４に出湯させ、この湯を台所や洗面所等の各所の給湯栓２５まで給湯するようになっている。給水路２１と給湯路２４との間には、給湯用熱交換器２２をバイパスして給水路２１からの給水を給湯路２４に流入させるバイパス路２６が設けられ、バイパス弁２６ａを開にすれば連通するようになっている。給水路２１には流量センサ２７や給水温度を検出する給水温度センサ２８が介装され、給湯路２４には給湯用熱交換器２２で加熱された直後の出湯の温度を検出する缶体出口温度センサ２９が介装されている。
【００２５】
追焚装置３は、追い焚き機能を実現するために、浴槽６の循環アダプタ６１との間に配管された戻り路３０ａ及び往き路３０ｂからなる追焚循環路３０を備え、浴槽６内に湯張りされた浴槽湯水を所定温度まで追い焚き加熱し得るようになっている。すなわち、循環ポンプ３１の作動により浴槽６から戻り路３０ａを通して追焚用熱交換器３２において燃焼バーナ３３の燃焼熱により熱交換加熱されて追い焚きされ、追い焚き後の浴槽湯水が往き路３０ｂを通して浴槽６に供給されるというように循環され、所定の沸き上がり温度まで追い焚きされるようになっている。循環ポンプ３１は戻り路３０ａ及び往き路３０ｂのいずれか一方(図例では戻り路３０ａ)に介装されている。戻り路３０ａには流れを検知して後述のコントローラ５に出力する水流スイッチ３４や戻り路３０ａにより戻される浴槽６内の浴槽湯水の温度を検出する戻り温度センサ３５が介装され、又、往き路３０ｂには追い焚き後の浴槽湯水の温度を検出する往き温度センサ３６が介装されている。なお、図１中の符号３７は、前記の給湯用燃焼バーナ２３や追焚用燃焼バーナ３３に燃料ガスを供給するためのガス供給系である。
【００２６】
注水・注湯装置４は、給湯路２４の途中から分岐して追い焚き循環路３０の戻り路３０ａに連通接続される注湯路４１を備えており、この注湯路４１を通して給湯路２４の湯（又は水）が戻り路３０ａに流入され、これが両側に分流して戻り路３０ａ及び往き路３０ｂのそれぞれを通す両搬送形式で浴槽６に注湯（又は注水）されて浴槽６内に湯張りし得るようになっている。前記の注湯路４１には、給湯路２４の側である上流側から順に流量センサ４２，注湯電磁弁４３，逆流防止用の一対の逆止弁４４，上流側での負圧発生時に逆流発生を防止する縁切り弁４５がそれぞれ介装され、加えて、追焚循環路３０との合流点近傍には浴槽６内の水位を検出する圧力式の水位センサ４６が介装されている。
【００２７】
なお、図１中の符号７は外気温センサであり、この外気温センサ７はケース内の雰囲気温度を検出することにより外気温を検出するようになっている。又、符号８はドレン処理装置であり、このドレン処理装置８は、給湯用熱交換器２２や追焚用熱交換器３３に含まれる二次熱交換器において燃焼排ガスが潜熱回収のための熱交換により冷やされて凝縮することにより生じたドレンを集水し、例えば中和処理した上で排水させるために設置されたものである。すなわち、図例のドレン処理回路８は、中和槽８１と、前記給湯用熱交換器２２及び追い焚き用熱交換器３３に含まれる二次熱交換器からドレンを集水して中和槽８１に導く集水路８２と、中和槽８１から中和処理済みのドレンを系外に排水させるための排水路８３とを備えて構成されている。
【００２８】
以上の給湯装置２，追焚装置３及び注水・注湯装置４等は、ＭＰＵ、メモリ等を備え各種の制御用プログラムが格納されたコントローラ５によって、給湯運転、追焚運転、注水・注湯による湯張り運転、湯張り・追焚・保温までを自動制御するふろ自動運転、又は、配管洗浄制御等の各種の運転制御が、リモコン５１からの出力及び前記の各種センサからの出力等に基づいて行われるようになっている。すなわち、前記コントローラ５は、図２に例示するように、給湯運転制御部５２、ふろ自動運転制御部５３、及び、配管洗浄制御部５４等を備えている。
【００２９】
給湯運転制御部５２による給湯運転制御、及び、ふろ自動運転制御部５３によるふろ自動制御について簡単に説明する。給湯運転制御は、ユーザーが給湯栓２５を開いて最低作動流量以上の流れを流量センサ２７が検出すると開始され、まず給湯用燃焼バーナ２３及びガス供給系３７からなる給湯燃焼系を制御して所定の燃焼状態にすることで、その燃焼熱を受けて給湯用熱交換器２２を通る給水が熱交換加熱され、設定温度まで加熱・温調された湯が給湯路２４を通して給湯栓２５に給湯されることになる。ふろ自動制御は、リモコン５１のふろ自動スイッチをユーザーがＯＮ操作することで開始され、まず、注水・注湯装置４及び追焚循環路３０を通して給湯装置２からの湯が浴槽６に湯張りされる。この際の湯張り量は水位センサ４６又は注湯流量センサ４２の積分等により把握・特定されて、浴槽６内には所定水位まで湯張りされることになる。次に、追焚装置３の追焚用燃焼バーナ３３及びガス供給系３７からなる追焚燃焼系や循環ポンプ３１が作動制御され、追焚用燃焼バーナ３３の燃焼熱を受けて追焚用熱交換器３２を通る浴槽６内の湯水が熱交換加熱され、所定の沸き上げ温度まで追焚加熱されることになる。追焚加熱が終了すれば、引き続いて、浴槽６内の湯水温度を一定に維持させるために間欠的に追焚制御を実行する保温運転を設定時間（例えばふろ自動スイッチＯＮから４時間）が経過するまで、又は、ユーザーにより風呂自動スイッチがＯＦＦされるまで行う。
【００３０】
＜第１実施形態＞
次に特徴部分である配管洗浄制御部５４による配管洗浄制御の第１実施形態について、図３を参照しつつ説明する。ここで、配管洗浄制御による洗浄対象の配管は、前記の追焚循環路３０（浴槽６と追焚用熱交換器３２とを結ぶ戻り路３０ａ及び往き路３０ｂ）のことである。すなわち、この追焚循環路３０内に、人間が入浴することで体表面等の皮脂や汚れを含むことになった浴槽６内の湯水（汚水）が追焚運転や保温運転により入り込んで滞留することになるため、この追焚循環路３０内に清浄な湯又は水を流すことで、浴槽使用後に残水として滞留している前記の浴槽６内の湯水を浴槽６内に押し出して排水して、追焚循環路３０内を前記の清浄な湯又は水で置換させ、これにより、雑菌繁殖の抑制・防止を図るのである。
【００３１】
まず、ふろ自動制御が終了していれば（ステップＳ１でＹＥＳ）、あるいは、リモコン５１の配管洗浄スイッチがユーザーのＯＮ操作によりＯＮ出力されていれば（ステップＳ２でＹＥＳ）、ステップＳ３の排水検知判定（急激な水位低下の判定）を飛ばして、即座にステップＳ４以降の配管制御を開始する。一方、ふろ自動制御が終了していない（ステップＳ１でＮＯ）、あるいは、配管洗浄スイッチはＯＦＦのまま（ステップＳ２でＮＯ）であれば、ステップＳ３に進んで排水検知判定を行う。排水検知判定とは、浴槽６内の湯水が排水開始されたか否かを判定するものであり、例えば所定の基準水位＋２ｃｍの水位から所定の短時間（例えば２分間）内に所定落差（例えば２ｃｍの落差）分だけ水位低下が発生すれば、排水検知と判定する。排水検知と判定されなかったら（ステップＳ３でＮＯ）、再びステップＳ１に戻りステップＳ１〜Ｓ３の判定を繰り返す。前記の急激な水位低下が生じて排水検知と判定されれば（ステップＳ３でＹＥＳ）、次に、現在の配管温度の状況をみて（ステップＳ４）、この配管温度の如何に応じて注湯による配管洗浄か（ステップＳ５）、注水による配管洗浄か（ステップＳ６）を決定する。ここでいう配管温度とは給湯路２４内の温度をいい、缶体出口温度センサ２９の検出温度により把握する。
【００３２】
前記のステップＳ４〜Ｓ６の原理は、給湯路２４内が湯であれば洗浄用に湯を流す一方、給湯路２４内が水であれば洗浄用に水を流すことで、洗浄後に給湯路２４に残留することになるものを洗浄前と同様の温度のものにする、というものである。これにより、追焚循環路３０の側の洗浄を果たしつつも、洗浄後の給湯路２４内の状態を洗浄前と同様の状態になるようにすることで、給湯使用が生じてもユーザーの使用感を損ねることのないようにするのである。具体的には、ステップＳ４で缶体出口温度センサ２９の検出温度である配管温度が設定温度Ｔｈ以上であるか否かを判定し、設定温度Ｔｈ以上であれば（ステップＳ４でＹＥＳ）、注湯電磁弁４２を開とし給湯用燃焼バーナ２３を燃焼させて、所定温度（例えば設定温度）の湯を所定量（例えば７Ｌ）だけ注水・注湯装置４を介して追焚循環路３０に注湯する（ステップＳ５）。逆に、設定温度Ｔｈ未満であれば（ステップＳ４でＮＯ）、給湯用燃焼バーナ２３を非燃焼状態に維持し注湯電磁弁４２を開にして、給水路２１に対し現在給水されている上水を給湯用熱交換器２２で加熱することなくそのまま注水・注湯装置４を介して追焚循環路３０に対し所定量（例えば７Ｌ）注水する（ステップＳ６）。前記の設定温度Ｔｈとしては、例えば給水路２１への給水温度にα（例えば１５℃）を加えた値を設定すればよい（Ｔｈ＝給水温度＋α）。
【００３３】
ステップＳ５で注湯された湯（図４の太線参照）又はステップＳ６で注水された水は、追焚循環路３０の戻り路３０ａ及び往き路３０ｂにそれぞれ分流されて浴槽６に流入することになる。これにより、追焚循環路３０内に対流していた前記汚水が注水又は注湯により浴槽６に押し出され、追焚循環路７内に前記汚水の代わりに注湯した湯又は注水した水が充満して汚水と置換されることになる。これにより、追焚循環路３０の洗浄が完了する。これと同時に、注水した水又は注湯した湯が、給湯路２４にも追焚循環路３０と同様に充満して対流することになる。このため、ユーザーが直後に給湯使用したとしても、給湯使用におけるユーザーの使用感を損ねることはない。
【００３４】
すなわち、ユーザーが給湯栓２５を開いても、給湯路２４に充満している水又は湯が最初に給湯栓２５から出て、続いて、給湯運転制御部５２により給湯運転された設定温度の湯が出湯することになる。つまり、前記の配管温度が設定温度Ｔｈ以上であれば、少し前に給湯使用があり、このため、給湯路２４内に所定温度以上の湯が滞留していると判断することができ、この段階でユーザーが給湯栓を開けば、その湯が最初に出湯するであろうと予想していると考えられる。従って、前記のステップＳ５の注湯を行うことで、給湯路２４内はその注湯の湯で充満され、次の給湯使用時にはこれが最初に給湯栓２５から出てくることになるため、ユーザーに違和感を抱かせることなく、快適に給湯使用を行わせることができる。このため、このような条件下では、ユーザーの給湯使用の使用感を重視して追焚循環路３０の洗浄用に湯を注湯し、給湯路２４内を湯で充満させるようにしている。一方、前記の配管温度が設定温度Ｔｈ未満であれば、しばらくの間は給湯使用がなく、このため、給湯路２４内に滞留していた湯も放熱されて低温になっており、この段階でユーザーが給湯栓を開いて水が最初に出てきても、ユーザーに違和感を抱かせることはないと考えられる。このため、このような場合には、追焚循環路３０での雑菌増殖抑制を重視して追焚循環路３０の洗浄用に水を注水するようにしている。これにより、追焚循環路３０内は確実に２５℃以下の水で充満されることになり、雑菌増殖を確実に抑制・防止することができるようになる。なお、ステップＳ５やＳ６では、浴槽６に自動排水栓６２が設けられていれば、注湯又は注水と同時に自動排水栓６２も開切換する。
【００３５】
＜第２実施形態＞
配管洗浄制御部５４による配管洗浄制御の第２実施形態について、図５を参照しつつ説明する。この第２実施形態は、第１実施形態のステップＳ４（図３参照）における温度条件の判定の代わりに、現在の外気温（季節）の如何を判定して（図５のステップS１４参照）注湯か注水かを切換えることで、第１実施形態と同様に、ユーザーの給湯使用における使用感を損ねることなく、追焚循環路３０内の雑菌増殖を抑制・防止するための洗浄を確実に行うようにするものである。前記のステップS１４の判定を除き、その他の制御は第１実施形態と同様である。
【００３６】
まず、ふろ自動制御が終了していれば（ステップＳ１１でＹＥＳ）、あるいは、リモコン５１の配管洗浄スイッチがユーザーのＯＮ操作によりＯＮ出力されていれば（ステップＳ１２でＹＥＳ）、ステップＳ１３の排水検知判定（急激な水位低下の判定）を飛ばして、即座にステップＳ１４以降の配管制御を開始する。一方、ふろ自動制御が終了していない（ステップＳ１１でＮＯ）、あるいは、配管洗浄スイッチはＯＦＦのまま（ステップＳ１２でＮＯ）であれば、ステップＳ１３に進んで、第１実施形態で説明したと同様の排水検知判定を行う。排水検知と判定されなかったら（ステップＳ１３でＮＯ）、再びステップＳ１１に戻りステップＳ１１〜Ｓ１３の判定を繰り返す。前記の急激な水位低下が生じて排水検知と判定されれば（ステップＳ１３でＹＥＳ）、次に、現在の外気温の状況をみて（ステップＳ１４）、この外気温の如何に応じて注湯による配管洗浄か（ステップＳ１５）、注水による配管洗浄か（ステップＳ１６）を決定する。ここでいう外気温とは外気温センサ７の検出温度により把握する。
【００３７】
ステップＳ１４では、外気温センサ７の検出温度により現在が低温期（冬期等）であるか高温期（夏期等）であるかを判定している。すなわち、判定温度Ｔｓ（例えば２５℃）以下であれば（ステップＳ１４でＹＥＳ）、現在の季節は低温期であると判定し、第１実施形態のステップＳ５と同様に注湯による配管洗浄を実行する（ステップＳ１５）。逆に、判定温度Ｔｓよりも外気温が高ければ（ステップＳ１４でＮＯ）、現在の季節は高温期であると判定し、第１実施形態のステップＳ６と同様に注水による配管洗浄を実行する（ステップＳ１６）。現在は低温期であって気温が低いため、追焚循環路３０内の滞留水は早期に温度低下し、従って、追焚循環路３０内で雑菌は増殖し難いものと考えられる。換言すれば、気温の低い低温期であるからこそ、給湯使用における温度変化をユーザーは敏感に感じ取ってしまうことになるため、給湯使用の使用感を優先し給湯路２４内に湯が充満することになるように、ステップＳ１５の注湯による配管洗浄を行うこととしている。つまり、追焚循環路３０の洗浄用に湯を注湯したとしても、追焚循環路３０内に充満した湯は早期に温度低下して雑菌の増殖は抑制されることになるため、雑菌増殖の不都合は生じない。一方、気温の高い高温期であれば、雑菌が増殖し易い環境である一方、給湯使用時に設定温度よりも低い湯水が給湯栓２５から出てきても低温期ほどには違和感は生じないと考えられる。このため、高温期には、注湯ではなくて注水による配管洗浄（ステップＳ１６）を行うことで、追焚循環路３０内の雑菌増殖の抑制・防止を優先させるようにしているのである。
【００３８】
＜第３実施形態＞
配管洗浄制御部５４による配管洗浄制御の第３実施形態について、図６を参照しつつ説明する。この第３実施形態は、第１実施形態のステップＳ４（図３参照）における温度条件の判定の前に、現在の時間帯は昼間か夜間かの如何を判定し（図６のステップＳ２４参照）、昼間であれば第１実施形態と同様の配管温度の如何に応じて注湯か注水かを切換え、夜間であればその配管温度の如何を判定することなく注水による配管洗浄を即座に実行するようにしたものである。これらの点を除き、その他の制御は第１実施形態と同様である。なお、本実施形態のステップＳ２４の昼間か夜間かの時間帯の如何に応じて切換える処理を、第２実施形態の外気温の如何の判定（図５のステップＳ１４）の前に行うようにしてもよい。
【００３９】
具体的には、まず、ふろ自動制御が終了していれば（ステップＳ２１でＹＥＳ）、あるいは、リモコン５１の配管洗浄スイッチがユーザーのＯＮ操作によりＯＮ出力されていれば（ステップＳ２２でＹＥＳ）、ステップＳ２３の排水検知判定（急激な水位低下の判定）を飛ばして、即座にステップＳ２４以降の配管制御を開始する。一方、ふろ自動制御が終了していない（ステップＳ２１でＮＯ）、あるいは、配管洗浄スイッチはＯＦＦのまま（ステップＳ２２でＮＯ）であれば、ステップＳ２３に進んで、第１実施形態で説明したと同様の排水検知判定を行う。排水検知と判定されなかったら（ステップＳ２３でＮＯ）、再びステップＳ２１に戻りステップＳ２１〜Ｓ２３の判定を繰り返す。前記の急激な水位低下が生じて排水検知と判定されれば（ステップＳ２３でＹＥＳ）、次に、現在の時間帯は昼間か否かを判定する（ステップＳ２４）。この時間帯の判定はコントローラ５が内蔵する電子時計等に基づいて行えばよい。
【００４０】
そして、前記の時間帯の判定により現時点は昼間であると判定されれば（ステップＳ２４でＹＥＳ）、通常の原則通り、第１実施形態と同様に現在の配管温度の状況をみて（ステップＳ２５）、この配管温度の如何に応じて注湯による配管洗浄か（ステップＳ２６）、注水による配管洗浄か（ステップＳ２７）を決定する。逆に、ステップＳ２４で昼間ではないと判定されれば、ステップＳ２５の配管温度の状況を判定することなく即座に注水による配管洗浄を実行する（ステップＳ２４でＮＯ，ステップＳ２７）。つまり、夜間（深夜）はユーザーの入浴使用の頻度はあまり高くはなく次の入浴までの間隔が比較的長くなると共に、給湯使用の頻度もかなり低いと考えられるため、配管洗浄を注水によって行うことで追焚循環路３０内の温度をより低く維持して雑菌の増殖を抑制・防止するようにしたものである。
【００４１】
＜他の実施形態＞
なお、本発明は前記第１〜第３実施形態に限定されるものではなく、その他種々の実施形態を包含するものである。すなわち、前記第１〜第３実施形態での注湯による配管洗浄における注湯温度として設定温度以外の温度を設定するようにしてもよい。又、注水による配管洗浄における注水温度を、給水路２１に給水される水の温度の如何に応じて、雑菌増殖について抑制効果が期待できる例えば２５℃を上限温度とする温度範囲内で加熱するようにしてもよい。すなわち、例えば低温期であれば給水温度は５〜１０℃という低温状態になるため、前記の２５℃を上限とする温度範囲内で微加熱し、これを第１実施形態のステップＳ６、第２実施形態のステップＳ１６、あるいは、第３実施形態のステップＳ２７での配管洗浄に使用する水として注水するようにしてもよい。これにより、追焚循環路３０における雑菌増殖を抑制・防止しつつも、給湯使用におけるユーザーの使用感をより向上させることができるようになる。
【００４２】
又、前記第１〜第３実施形態では、いずれもふろ自動制御が終了していれば（ステップＳ１，Ｓ１１，又は，Ｓ２１でＹＥＳ）、ステップＳ３，Ｓ１３，又は，Ｓ２３の排水検知判定を飛ばして、即座にステップＳ４，Ｓ１４，又は，Ｓ２４以降の配管制御を開始するようにしているが、これに限らず、ふろ自動制御が終了していれば、ステップＳ３，Ｓ１３，又は，Ｓ２３の排水検知の判定を行った上で、ステップＳ４，Ｓ１４，又は，Ｓ２４以降の配管制御を開始するようにしてもよい。
【００４３】
前記第２実施形態において、外気温センサの検出温度に基づいて現在が高温期か低温期かを判定することで以後の配管洗浄に湯か水かのいずれを洗浄水として用いるかを切換えるようにしているが、例えば高温期か低温期か春・秋期かとより細かく季節判定してもよく、この場合には、洗浄水として給水された上水そのもの、微加熱するものの２５℃以下の水、あるいは、２５℃よりも高温に加熱した湯というように多段階に切換えるようにしてもよい。又、第３実施形態において、ステップＳ２５の配管温度の判定に代えて、第２実施形態の如くステップＳ１４の外気温の判定を行い、かかる外気温判定に基づく切換えを適用するようにしてもよい。さらに、第３実施形態において現在の時間帯の判定をコントローラ５が内蔵する電子時計に基づいて行っているが、これに限らず、ユーザーがリモコン５１等により時間帯を切換えるための時刻（時間帯判定用の切換時間）を変更設定し得るようにしてもよく、又、コントローラ５によりユーザーの日常の使用状態を学習させ、その学習結果に基づいて、前記の時間帯判定用の切換時間を自動的に切換設定させるようにしてもよい。
【００４４】
さらに、前記第１実施形態又は第３実施形態において、配管温度として、缶体出口温度センサ２９による検出温度に代えて、給湯路２４の他の位置に設置された温度センサの検出温度を用いるようにしてもよい。さらに、注水による配管洗浄を行う場合、給水路２１からの給水を、バイパス路２６を通して注水・注湯装置４に対し供給するようにしてもよい。
【符号の説明】
【００４５】
２      給湯装置
３      追焚装置
４      注水・注湯装置
５      コントローラ（配管洗浄制御手段）
６      浴槽
７      外気温センサ
２９    缶体出口温度センサ（配管温度センサ）
３０    追焚循環路（追焚循環配管）
３１    循環ポンプ
５３    ふろ自動運転制御部（ふろ自動運転制御手段）
５４    配管洗浄制御部（配管洗浄制御手段）
【図１】
2014070771.tif 000003
【図２】
2014070771.tif 000004
【図３】
2014070771.tif 000005
【図４】
2014070771.tif 000006
【図５】
2014070771.tif 000007
【図６】
2014070771.tif 000008